(57)【要約】【課題】優れた抗酸化能、美白作用を有する抗酸化剤及び皮膚外用剤を提供する。【解決手段】兎耳草又は小檗皮の抽出物からなることを特徴とする抗酸化剤及び該抽出物を含有する皮膚外用剤。【選択図】なし【特許請求の範囲】
【請求項１】
兎耳草又は小檗皮の抽出物からなることを特徴とする抗酸化剤。
【請求項２】
兎耳草又は小檗皮の抽出物を含有することを特徴とする皮膚外用剤。
【発明の詳細な説明】
【技術分野】
【０００１】
本発明は、抗酸化剤及び皮膚外用剤に関し、詳しくは医薬品、医薬部外品、化粧料、食品等に添加することが可能な優れた安全性、抗酸化能を有する抗酸化剤並びに優れた抗酸化能及び美白作用を有する皮膚外用剤に関する。
【背景技術】
【０００２】
従来、化粧料、医薬品や食品等にはＢＨＴ、ＢＨＡ等の合成抗酸化剤や、α−トコフェロール、アスコルビン酸等の様々な抗酸化剤、また種々の植物抽出物などが用いられている。しかし、安全性の面において懸念されるものもあり、また効果の面においても未だ満足のいくものではなかった。
【発明の開示】
【発明が解決しようとする課題】
【０００３】
本発明者等は、このような状況に鑑み、従来技術の難点を改良せんとして鋭意研究を重ねた結果、兎耳草又は小檗皮の抽出物が優れた抗酸化効果、更には美白効果を有することを見出し、本発明の完成に至った。
【０００４】
すなわち、本発明の目的は、安全性が高く、優れた抗酸化能を有する抗酸化剤、及び皮膚外用剤を提供することにある。
【課題を解決するための手段】
【０００５】
本発明は、兎耳草又は小檗皮の抽出物からなることを特徴とする抗酸化剤、及び該抽出物を含有する皮膚外用剤を提供することにより上記目的を達成するものである。
【発明の効果】
【０００６】
本発明に係る抗酸化剤及び皮膚外用剤は、優れた抗酸化能、及び美白作用を有し、しみ、ソバカス、くすみ、しわを始めとする皮膚の老化現象を防止するため、皮膚外用剤とした場合、非常に有用である。
【発明を実施するための最良の形態】
【０００７】
本発明に用いられる兎耳草とは、兔耳草とも表記し、短筒兎耳草（Ｌａｇｏｔｉｓ  ｂｒｅｖｉｔｕｂａ  Ｍａｘｉｍ．）、大萼兎耳草（Ｌａｇｏｔｉｓ  ｃｌａｒｋｅｉ  Ｈｏｏｋ．  ｆ．）、大筒兎耳草（Ｌａｇｏｔｉｓ  ｍａｅｒｏｓｉｐｈｏｎ  Ｔｓｏｏｎｇ  ｅｔ．  Ｈ．Ｐ．Ｙａｎｇ）及び円穂兎耳草（Ｌａｇｏｔｉｓ  ｒａｍａｌａｎａ  Ｂａｔａｌｉｎ）を示す総称でありいずれも単独でも組み合わせてでも用いることができ、小檗皮は、学名をＣｏｒｔｅｘ  Ｂｅｒｂｅｒｉｄｉｓといい、甘粛小檗（Ｂｅｒｎｅｒｉｓ  Ｋａｎｓｕｅｎｓｉｓ  Ｓｃｈｎｅｉｄ．）から得られるものであり、チベットで生薬として用いられてきた。兎耳草は抗脂血の作用があり、小檗皮は眼精疲労に効果があるとされてきた。
【０００８】
兎耳草又は小檗皮の抽出物を得るための抽出溶媒は、例えば、水、エタノール、プロパノール、ブタノール等の低級アルコール、１，３−ブチレングリコール、プロピレングリコール、グリセリン、ジプロピレングリコール等の多価アルコール類、又はこれらの混合物等が挙げられる。これらのうち、水単独、水とエタノールとの混液、水と１，３−ブチレングリコールとの混液が好ましく、エタノール又は１，３−ブチレングリコールと水との比率が１：１〜１：９９（体積比）のものが更に好ましい。抽出は、低温、常温でも加熱して行なっても良い。考課の面より低音での抽出が好ましい。得られた抽出物は、適宜
、精製、ろ過しても良く、また常法により濃縮、乾固して用いても良い。
【０００９】
兎耳草又は小檗皮の抽出物の皮膚外用剤への配合量は、目的、対象とする部位等により千差万別であり一概に規定できるものではないが、皮膚外用剤の総量を基準として、一般的には０．００１〜１０質量％（以下、単に％と記す）が好ましく、更に好ましくは０．０１〜３％である。
【００１０】
本発明に係る抗酸化剤は、上記抽出物を、油脂や溶媒等に溶解又は分散して用いることができる。そして、医薬品、食品等に一般に用いられる賦型剤等を適宜用いて顆粒、粉末状とする他、適当な溶剤等を用い液状、エマルション、クリーム、ペースト等とすることができる。また、必要に応じ抗酸化剤と併用することにより相乗効果を奏することが知られているアスコルビン酸、クエン酸、コハク酸等の相乗剤を含有すると更に好ましい。
【００１１】
本発明の抗酸化剤は、口紅、乳液、クリーム等の化粧料や医薬品、医薬部外品等だけでなく、魚油、ラード、大豆油、あまに油、コーン油、綿実油、パーム油等の動植物を原料とする油脂類や、バター、マーガリン、マヨネーズ、ハム、ポテトチップ、揚げせんべい、魚肉等の食品等に食味、香り、感触等を損なうことなく広く利用できる。
【００１２】
本発明に係る抽出物を、化粧料に用いる場合、皮膚化粧料、メイクアップ化粧料、頭髪化粧料、入浴剤等種々の化粧料に配合でき、剤形としてローション、クリーム、軟膏、乳液、パップ、ジェル、粉末、顆粒等種々のものとすることができる。特に本発明の抽出物は、抗酸化作用を有するため、内容物の酸化を防止するだけではなく紫外線等による過酸化物の生成等を抑制し、しわを始めとする皮膚の老化現象の防止効果が得られるだけでなく、メラニン合成抑制作用を有することから、しみ、ソバカス、くすみに対する美白効果を奏することができる。したがって、直接皮膚に適用される形態が好ましく、特に皮膚化粧料が好ましい。尚。本発明においては皮膚外用剤とは、頭皮を含む身体上の皮膚に適用されるもの全てを包含し、例えば、化粧料、医薬品、医薬部外品等の区別無く、入浴剤をも包含されるものである。
【実施例】
【００１３】
以下、実施例について説明する。また、実施例に示す％は質量％を意味する。なお、本発明は以下の実施例に限定されるものではない。尚、各抽出物は凍結乾燥した固形物を用いた。また、兎耳草は、短筒兎耳草を用いた。
【００１４】
試験例１（抗酸化力試験）
０．０５ｍｏｌ／Ｌ炭酸ナトリウム緩衝液（ｐＨ１０．２）２．４ｍＬ、３ｍｍｏｌ／Ｌキサンチン０．１ｍＬ、３ｍｍｏｌ／Ｌ  ＥＤＴＡ０．１ｍＬ、０．１５％牛血清アルブミン０．１ｍＬ、０．７５ｍｍｏｌ／Ｌニトロブルーテトラゾリウム０．１ｍＬの組成中に、試料１．５ｍｇ／ｍＬ濃度の水又は５０％エタノール溶液を０．１ｍＬ加え、２５℃、１０分加温する。そこにバターミルク由来の２５０倍希釈キサンチンオキシダーゼ（シグマ社製）０．１ｍＬを加え、２５℃、２０分間反応する。６ｍｍｏｌ／Ｌ塩化第二銅０．１ｍＬ加え、反応を停止して分光光度計を用いて波長５６０ｎｍにて吸光度を測定した。試料溶液の代わりに、水又は５０％エタノールを０．１ｍＬ加えたものの吸光度を、１００として、抑制率（％）を求めた。
【００１５】
その結果、表１に示すように本発明で用いる抽出物は優れた抗酸化力を有していることが確認された。
【００１６】
表１  抗酸化力試験結果
試料                            濃度            抑制率（％）    
−−−−−−−−−−−−−−−−−−−−−−−−−−−−−−−−−
兎耳草水抽出物                  ０．００５％    ９１．７    
（水溶液）                                              
兎耳草５０％エタノール抽出物    ０．００５％    ９０．４    
（５０％エタノール溶液）                                
小檗皮水抽出物                  ０．００５％    ７３．１    
（水溶液）                                              
小檗皮５０％エタノール抽出物    ０．００５％    ６８．６    
（５０％エタノール溶液）                                
【００１７】
試験例２（メラニン合成抑制試験）
（１）メラニン生成抑制試験
Ｂ１６メラノーマ細胞を２×１０4個／ｗｅｌｌで１２穴プレートに播き、２４時間後、各試料化合物を１０μｇ／ｍＬ又は３０μｇ／ｍＬ含有したテオフィリン（Ｔｈｅｏｐｈｙｌｌｉｎｅ）入り培地に交換した。７２時間培養を行い、続いて細胞を１０％ＴＣＡ，エタノール／ジエチルエーテル（＝１／１）で処理した。続いて、１０％ジメチルスルホキシドを含有する１ｍｏｌ／Ｌ水酸化ナトリウム水溶液に溶解後のＯＤ４７５値を求めてメラニン量とした。その後、細胞数を測定し、細胞あたりのメラニン生成の抑制率（％）を求めた。
【００１８】
その結果、表２に示すように本発明で用いる抽出物は優れたメラニン合成抑制効果を有していることが確認された。
【００１９】
表２  メラニン合成抑制試験結果
試料                            濃度              阻害率        
−−−−−−−−−−−−−−−−−−−−−−−−−−−−−−−−−
兎耳草水抽出物                  １０μｇ／ｍｌ    ２０．９％    
兎耳草５０％エタノール抽出物    １０μｇ／ｍｌ    ８４．６％    
小檗皮水抽出物                  １０μｇ／ｍｌ    ５５．２％    
３０μｇ／ｍｌ    ７３．３％    
小檗皮５０％エタノール抽出物    １０μｇ／ｍｌ    ５０．６％    
３０μｇ／ｍｌ    ７６．３％    
【００２０】
以上の結果から、本発明の抽出物は、優れた抗酸化能、更にはメラニン合成抑制効果を有することがわかった。
【００２１】
実施例１〜８（スキンクリーム）
表３の組成において、表４に記載のごとく抽出物を配合し、下記の調製法に従いスキンクリームを調製した。
【００２２】
（表３）
配合成分                                配合量（％）
（Ａ）油相
ステアリン酸                          ７．０
オレイン酸                            ３．０
ステアリルアルコール                  ４．０
ステアリン酸モノグリセリンエステル    ８．０
抽出物                              （表４に記載）
エチルパラベン                        ０．１
ブチルパラベン                        ０．１
プロピルパラベン                      ０．１
（Ｂ）水相
プロピレングリコール                  ８．０
グリセリン                            ２．０
水酸化カリウム                        ０．４
エデト酸二ナトリウム                  ０．０５
精製水                                総量を１００とする残量
【００２３】
（表４）
実施例１  実施例２  実施例３  実施例４  
兎耳草水抽出物                ０．５％    −        −        −      
兎耳草水抽出物                  −      ０．１％    −        −      
兎耳草５０％エタノール抽出物    −        −      ０．５％    −      
兎耳草５０％エタノール抽出物    −        −        −      ０．１％  
実施例５  実施例６  実施例７  実施例８  
小檗皮水抽出物                ０．５％    −        −        −      
小檗皮水抽出物                  −      ０．１％    −        −      
小檗皮５０％エタノール抽出物    −        −      ０．５％    −      
小檗皮５０％エタノール抽出物    −        −        −      ０．１％  
【００２４】
（調製法）
Ａの油相部とＢの水相部をそれぞれ７０℃に加熱し完全溶解した。次にＡ相にＢ相を加えて、乳化機で乳化した。乳化物を冷却し、容器に充填して本発明に係るスキンクリームを得た。
【００２５】
実施例１〜８の本発明に係るスキンクリームは皮膚刺激を示さず、経日安定性に優れていることが確認された。
【００２６】
実施例９〜２０（スキンローション）
表５の組成において、表６に記載のごとく抽出物を配合し、下記の調製法に従いスキンローションを調製した。
【００２７】
（表５）
配合成分                                                配合量（％）
（Ａ）
エタノール                                            １０．０  
モノラウリン酸ポリオキシエチレン（６）ソルビタン        ５．０  
香料                                                    ０．０５
（Ｂ）
抽出物                                              （表６に記載）
（Ｃ）
グリセリン                                              ５．０
キサンタンガム                                          ０．１
ヒドロキシエチルセルロース                              ０．１
精製水                                          総量を１００とする残量
【００２８】
（表６）
実施例９  実施例１０  実施例１１
兎耳草水抽出物                  ０．１％      −        −      
兎耳草水抽出物                    −        １．０％    −      
兎耳草水抽出物                    −          −      ３．０％  
実施例１２  実施例１３  実施例１４
兎耳草５０％エタノール抽出物    ０．１％      −          −      
兎耳草５０％エタノール抽出物      −        １．０％      −      
兎耳草５０％エタノール抽出物      −          −        ３．０％  
実施例１５  実施例１６  実施例１７
小檗皮水抽出物                  ０．１％      −          −      
小檗皮水抽出物                    −        １．０％      −      
小檗皮水抽出物                    −          −        ３．０％  
実施例１８  実施例１９  実施例２０
小檗皮５０％エタノール抽出物    ０．１％      −          −      
小檗皮５０％エタノール抽出物      −        １．０％      −      
小檗皮５０％エタノール抽出物      −          −        ３．０％  
【００２９】
（調製法）
Ｂ成分をＣ成分中に、均一に溶解した後、Ａ成分とＣ成分を均一に混合攪拌、分散し次いで容器に充填し、本発明に係るスキンローションを得た。
【００３０】
実施例９〜２０の本発明に係るスキンローションは皮膚刺激を示さず、経日安定性に優れていることが確認された。
【００３１】
実施例２１〜３２（口紅）
表７の組成において、表８に記載のごとく抽出物を配合し、下記の調製法に従い口紅を調製した。
【００３２】
（表７）
配合成分                            配合量（％）
（Ａ）
パラフィン                        １６．０
ポリブテン                        １０．０
ワセリン                          ２０．０
オクチルドデカノール              １０．０
流動パラフィン                    総量を１００とする残量
（Ｂ）
赤色２０１号                        １．０
赤色２０２号                        ０．５
黄色４号アルミニウムレーキ          ０．３
黒酸化鉄                            ０．１
（Ｃ）
抽出物                          （表８に記載）
【００３３】
（表８）
実施例２１  実施例２２  実施例２３
兎耳草水抽出物                  ０．０１％    −          −      
兎耳草水抽出物                    −        ０．３％      −      
兎耳草水抽出物                    −          −        ３．０％  
実施例２４  実施例２５  実施例２６
兎耳草５０％エタノール抽出物    ０．０１％    −          −      
兎耳草５０％エタノール抽出物      −        ０．３％      −      
兎耳草５０％エタノール抽出物      −          −        ３．０％  
実施例２７  実施例２８  実施例２９
小檗皮水抽出物                  ０．０１％    −          −      
小檗皮水抽出物                    −        ０．３％      −      
小檗皮水抽出物                    −          −        ３．０％  
実施例３０  実施例３１  実施例３２
小檗皮５０％エタノール抽出物    ０．０１％    −          −      
小檗皮５０％エタノール抽出物      −        ０．３％      −      
小檗皮５０％エタノール抽出物      −          −        ３．０％  
【００３４】
（調製法）
Ａ成分を９０℃で均一に溶解し、Ｂ成分を加えて混練りした。９０℃に再び溶解し、脱気してからＣ成分を加え金型に流し込み冷却成形し、容器にさし、本発明に係る口紅を得た。
【００３５】
実施例２１〜３２の本発明に係る口紅は皮膚刺激を示さず、経日安定性に優れていることが確認された。